(57)【要約】    【課題】ナースセンター内に在室中の看護師が遂行する看護業務として、病室内の病床毎の患者の様子を聴取する際の利便性および作業効率を高める。    【解決手段】複数のナースコール子機１ａ〜４ａ、１ｂ〜４ｂ、・・・のうち、子機マイク１０２からの送話を聴取する聴取先として当該ナースコール子機が切り替えられたタイミングや呼出中または通話中の要因により聴取ができないことを、ナースコール親機３０の親機スピーカ３０４からその旨の信号音を出力（放音）させて報知する。また、何れの当該ナースコール子機が聴取中であるのか、聴取対象であること等の状態や呼出中または通話中の要因により聴取ができない旨を、表示回路３０８の制御により表示灯３０８ａ、３０８ａ、・・・を所定のパターンの色および／または点滅で表示させて報知する。  【選択図】図１
2006129228.tif 000002
【特許請求の範囲】
【請求項１】
病室内の病床毎にそれぞれ設置される複数のナースコール子機（１ａ〜４ａ、１ｂ〜４ｂ、・・・）と、前記ナースコール子機からの呼び出しがあることを表示し、看護師に知らせるための廊下灯（２０ａ、２０ｂ、・・・）と、ナースセンター内に設置され、前記ナースコール子機から前記廊下灯を介して伝送されてくる呼び出しに応答するためのナースコール親機（３０）と、前記廊下灯および前記ナースコール親機を制御するための制御機（４０）とを備え、
前記ナースコール子機は、前記ナースコール親機への送話を形成するための子機マイク（１０２）を有し、
前記ナースコール親機は、前記子機マイクからの送話を聴取するとともに複数のナースコール子機を切り替えて聴取する切替動作時に信号音を出力するための親機スピーカ（３０４）と、前記ナースコール子機毎に表示灯（３０８ａ、３０８ａ、・・・）がそれぞれ割り当てられ、聴取中の前記ナースコール子機を表示させるための表示回路（３０８）とを有することを特徴とするナースコールシステム。
【請求項２】
前記表示回路は、前記複数のナースコール子機が聴取中であること、聴取対象であること等の状態を、それぞれ色および／または点滅により表示することを特徴とする請求項１記載のナースコールシステム。
【請求項３】
前記ナースコール親機は、前記ナースコール子機が呼出中または通話中の要因により聴取ができない場合に、前記親機スピーカから信号音を出力してナースセンター内に在室中の看護師に音で報知させることを特徴とする請求項１または請求項２記載のナースコールシステム。
【請求項４】
前記ナースコール親機は、前記ナースコール子機が呼出中や通話中の要因により聴取ができない場合に、前記表示回路により色および／または点滅により表示してナースセンター内に在室中の看護師に報知させることを特徴とする請求項１乃至請求項３のうち何れか１項記載のナースコールシステム。
【請求項５】
前記廊下灯は、患者のプライバシーを守るため、前記患者により操作される聴取禁止スイッチ（２０４）を有することを特徴とする請求項１乃至請求項４のうち何れか１項記載のナースコールシステム。
【請求項６】
前記ナースコール親機は、前記ナースコール子機の聴取中に、前記ナースコール親機のハンドセット（３０１）を取り上げてフックオフすることにより通話の状態に入ることを特徴とする請求項１乃至請求項５のうち何れか１項記載のナースコールシステム。
【請求項７】
前記ナースコール親機は、前記ナースコール子機が呼出中または通話中の要因により聴取ができずスキップ中の場合に、前記ナースコール親機の前記ハンドセットを取り上げてフックオフすることにより呼び出し、または通話の状態を一旦切断し、緊急通話の状態に入ることを特徴とする請求項１乃至請求項６のうち何れか１項記載のナースコールシステム。
【発明の詳細な説明】
【技術分野】
【０００１】
本発明は、病院や看護施設等に設置されるナースコールシステムに係り、特に、ナースセンター内に在室中の看護師が遂行する看護業務として、病室内の病床毎の患者の様子を聴取し、必要に応じて通話または緊急通話を成立させる際の利便性および作業効率が高められたナースコールシステムに関する。
【背景技術】
【０００２】
従来から、この種のナースコールシステムとして、複数のナースコール子機がそれぞれ設置された病室内に在室中の患者のうち、特定の患者の様子を子機マイクから聴取するにあたり、ナースステーション内（ナースセンター内と同意。）に在室中の看護師がナースコール親機にて所定の聴取操作、例えば、カラーＬＣＤの聴取表示部をタッチ操作してテンキー表示部で聴取先の病室に係る病室番号をタッチ操作すると、この聴取操作を検出したナースコール親機、制御機および聴取先である病室の出入口近傍や廊下先に設置されている廊下灯の制御により、聴取先である病室内に設置されているナースコール子機の子機マイクからナースコール親機の親機スピーカまでの信号伝送路が形成されるナースコール装置が開示されている（例えば、特許文献１を参照。）。
【０００３】
従来例のナースコールシステム装置において、ナースセンター内に在室中の看護師は、ナースコール子機の子機マイクに入力されナースコール親機の親機スピーカから出力（放音）される音（送話音声）をもとに、聴取先である特定の患者の様子を聴覚を通じて容易に確認することができる。
【０００４】
【特許文献１】特開２００２−２３２５８０号公報（段落番号００５１、００５２、図１）
【発明の開示】
【発明が解決しようとする課題】
【０００５】
しかしながら、従来例のナースコール装置では、ナースセンター内に在室中の看護師がナースコール親機にて所定の聴取操作を行うにあたり選択される聴取先を病室単位で選択したが、この選択操作として病床単位で選択するためには、ナースコール親機にて所定の聴取操作、例えば、カラーＬＣＤの聴取表示部をタッチ操作してテンキー表示部で聴取先の病室に係る病室番号および病床番号をタッチ操作することになる。
【０００６】
ここで、聴取先としての選択操作が病床単位で行われている場合、ナースセンター内に在室中の看護師は、複数のナースコール子機がそれぞれ設置された病室内の病床毎の患者のうち、複数人の患者の様子を子機マイクから順次聴取するにあたり、例えば、聴取先として１番目に選択されたナースコール子機から２番目に選択されたナースコール子機への切り替えのタイミングを、ナースコール親機にて視覚を通じて確認せねばならず、この視覚確認手段としてカラーＬＣＤの画面を使用する場合には、当該カラーＬＣＤの消耗を避けるために一定時間でバックライトが停止（消灯）することから、聴取先の切り替えのタイミングを正確に判別できない虞があった。
【０００７】
また、複数のナースコール子機がそれぞれ設置された病室内の病床毎の患者のうち、複数人の患者の様子を子機マイクから順次聴取するにあたり、聴取先として選択されたナースコール子機が呼出中または通話中の要因により聴取ができない場合にはスキップが行われるが、スキップ中である旨の報知は、ナースコール親機のカラーＬＣＤの画面を使用するように視覚を通じて報知せねばならず、聴覚を通じた報知手段が何ら備えられていなかった。
【０００８】
また、複数のナースコール子機がそれぞれ設置された病室内の病床毎の患者のうち、複数人の患者の様子を子機マイクから順次聴取するにあたり、ナースセンター内に在室中の看護師は、聴取対象であるナースコール子機、スキップ中であるナースコール子機、聴取中であるナースコール子機等の状態報知を、カラーＬＣＤでの画面表示等、視覚を通じて一目で確認することができなかった。
【０００９】
さらに、複数のナースコール子機がそれぞれ設置された病室内の病床毎の患者のうち、複数人の患者の様子を子機マイクから順次聴取するにあたり、ナースコール親機から聴取中またはスキップ中であるナースコール子機へと緊急通話を必要する場合には、複雑な操作が必要とされ、簡単な操作、例えば、ワンアクションの操作で緊急通話に入ることができなかった。
【００１０】
本発明は、前述の難点を解消するためになされたもので、病室内の病床毎の患者の様子を聴取中であること、聴取対象であること等の状態を視覚的に報知させるとともに、呼出中または通話中の要因により聴取ができずスキップ中の場合には、その旨を聴覚的および視覚的に報知してナースセンター内に在室中の看護師に容易に確認させるばかりでなく、通話または緊急通話の成立のために必要とされる操作を簡単な当該操作で可能としたナースコールシステムを提供することを目的としている。
【課題を解決するための手段】
【００１１】
前述の目的を達成するため、本発明のナースコールシステムは、病室内の病床毎にそれぞれ設置される複数のナースコール子機と、ナースコール子機からの呼び出しがあることを表示し、看護師に知らせるための廊下灯と、ナースセンター内に設置され、ナースコール子機から廊下灯を介して伝送されてくる呼び出しに応答するためのナースコール親機と、廊下灯およびナースコール親機をそれぞれ制御するための制御機とを備えたものである。ナースコール子機は、ナースコール親機への送話を形成するための子機マイクを有している。ナースコール親機は、子機マイクからの送話を聴取するとともに複数のナースコール子機を切り替えて聴取する切替動作時に信号音を出力するための親機スピーカと、ナースコール子機毎に表示灯がそれぞれ割り当てられ、聴取中のナースコール子機を表示させるための表示回路とを有している。
【００１２】
また、本発明のナースコールシステムにおいて、表示回路は、複数のナースコール子機が聴取中であること、聴取対象であること等の状態を、それぞれ色および／または点滅により表示するものである。
【００１３】
また、本発明のナースコールシステムにおいて、ナースコール親機は、ナースコール子機が呼出中または通話中の要因により聴取ができない場合に、親機スピーカから信号音を出力してナースセンター内に在室中の看護師に音で報知させるものである。
【００１４】
また、本発明のナースコールシステムにおいて、ナースコール親機は、ナースコール子機が呼出中や通話中の要因により聴取ができない場合に、表示回路により色および／または点滅により表示してナースセンター内に在室中の看護師に報知させるものである。
【００１５】
また、本発明のナースコールシステムにおいて、廊下灯は、患者のプライバシーを守るため、患者により操作される聴取禁止スイッチを有している。
【００１６】
また、本発明のナースコールシステムにおいて、ナースコール親機は、ナースコール子機の聴取中に、ナースコール親機のハンドセットを取り上げてフックオフすることにより通話の状態に入るものである。
【００１７】
また、本発明のナースコールシステムにおいて、ナースコール親機は、ナースコール子機が呼出中または通話中の要因により聴取ができずスキップ中の場合に、ナースコール親機のハンドセットを取り上げてフックオフすることにより呼び出し、または通話の状態を一旦切断し、緊急通話の状態に入るものである。
【発明の効果】
【００１８】
本発明のナースコールシステムによれば、複数のナースコール子機がそれぞれ設置された病室内の病床毎の患者のうち、複数人の患者の様子を子機マイクから順次聴取するにあたり、ナースセンター内に在室中の看護師は、例えば、聴取先として１番目に選択されたナースコール子機から２番目に選択されたナースコール子機への切り替えのタイミングや呼出中または通話中の要因により聴取ができないことを親機スピーカから出力（放音）されるその旨の信号音により聴覚を通じて容易に確認できるばかりでなく、聴取先として選択された複数のナースコール子機のうち何れの当該ナースコール子機が聴取中であるのか、聴取対象であること等の状態や呼出中または通話中の要因により聴取ができない旨を、表示回路の制御により所定のパターンの色および／または点滅で表示される表示灯をもとに視覚を通じて容易に確認することができる。
【００１９】
また、本発明のナースコールシステムによれば、複数のナースコール子機がそれぞれ設置された病室内の病床毎の患者は、廊下灯の聴取禁止スイッチを操作することにより子機マイクを使用した聴取を禁止することができ、患者のプライバシーが守られる。
【００２０】
また、本発明のナースコールシステムによれば、複数のナースコール子機がそれぞれ設置された病室内の病床毎の患者のうち、特定の患者の様子を子機マイクから聴取中であることを確認したナースセンター内に在室中の看護師による通話の状態に入るための操作を、ナースコール親機のハンドセットを取り上げてフックオフさせるような簡単な応答操作で可能にすることができる。
【００２１】
さらに、本発明のナースコールシステムによれば、複数のナースコール子機がそれぞれ設置された病室内の病床毎の患者のうち、呼出中または通話中の要因により特定の患者の様子を子機マイクから聴取できずスキップ中であると確認したナースセンター内に在室中の看護師による緊急通話の状態に入るための操作を、ナースコール親機のハンドセットを取り上げてフックオフさせるような簡単な応答操作で可能にすることができるばかりでなく、この応答操作を行うことにより、呼び出し、または通話の状態を一旦切断することができる。
【発明を実施するための最良の形態】
【００２２】
以下、本発明のナースコールシステムを適用した最良の実施の形態例について、図面を参照して説明する。
【００２３】
図１は、本発明の実施例によるナースコールシステムの構成を示すブロック図である。
【００２４】
図１のブロック図に示すナースコールシステムは、病院や看護施設等において、Ａ号室、Ｂ号室、・・・のような（複数の）病室内の病床毎にそれぞれ設置され個別の子機番号（詳述せず）有しており、病床毎の被看護人、例えば、患者が、看護人、例えば、ナースセンター内に在室中の看護師に対して通常の呼び出し（通常のナースコール呼び出しと同意。）を行い通話（後述する緊急通話を含む。）を成立させるとともに、前述の患者を看護／担当している看護師が緊急を要し、他の看護師であるナースセンター内に在室中の看護師に対して緊急呼び出しを行い通話を成立させ、さらに、患者の様子を聴取するための複数のナースコール子機、ここでは、病室毎４台の各病床にそれぞれ設置されたナースコール子機１ａ〜４ａ、１ｂ〜４ｂ、・・・と、病室毎に設置、例えば、病室の出入口近傍や廊下先にそれぞれ設置され個別の廊下灯番号（詳述せず）を有しており、通常呼出ラインＬ1、緊急呼出ラインＬ2、第１の通話ライン（以下、送話ラインという。）Ｌ3、第２の通話ライン（以下、受話ラインという。）Ｌ4の４線からなる子機ラインＬ10a、Ｌ10b、・・・をそれぞれ介してナースコール子機１ａ〜４ａ、１ｂ〜４ｂ、・・・がバス接続され、病室内の病床毎の患者からの通常呼び出し、または病室内の病床毎の患者を看護／担当している看護師からの緊急呼び出しを検出して、その旨を病室の出入口近傍や廊下先に居る看護師に知らせるとともに、呼出元の患者または看護師と呼出先の看護師との間で成立される通話（後述する緊急通話を含む。）の通話路を形成するための廊下灯２０ａ、２０ｂ、・・・と、ナースセンター内に設置されており、病室内の病床毎の患者からの通常呼び出し、または病室内の病床毎の患者を看護／担当している看護師からの緊急呼び出しがある旨の報知（放音、表示）が行われ、これを確認して応答した呼出先の看護師が呼出元の患者または看護師との間で通話を成立させるとともに、当該ナースセンター内に在室中の看護師が病室内の病床毎の患者のうち特定（１人または複数人）の患者の様子を聴取し、必要に応じて通話または緊急通話を成立させるためのナースコール親機３０と、制御ラインＬ20a、通話ラインＬ20bの２線からなる廊下灯ラインＬ20を介してバス接続された廊下灯２０ａ、２０ｂ、・・・および制御ラインＬ30a、通話ラインＬ30bの２線からなる親機ラインＬ30を介して接続されたナースコール親機３０を制御するための制御機（ナースコール制御機と同意。）４０とから構成されている。
【００２５】
なお、複数のナースコール子機１ａ〜４ａ、１ｂ〜４ｂ、・・・および廊下灯２０ａ、２０ｂ、・・・の間は、前述のような通常呼出ラインＬ1、緊急呼出ラインＬ2、送話ラインＬ3、受話ラインＬ4の４線からなる子機ラインＬ10a、Ｌ10b、・・・をそれぞれ介してバス接続させたが、この接続形態に限定されず、複数のナースコール子機１ａ〜４ａ、１ｂ〜４ｂ、・・・および廊下灯２０ａ、２０ｂ、・・・をそれぞれ個別に接続する形態も好適である。
【００２６】
また、廊下灯２０ａ、２０ｂ、・・・および制御機４０の間についても、前述のような制御ラインＬ20a、通話ラインＬ20bの２線からなる廊下灯ラインＬ20を介してバス接続させたが、この接続形態に限定されず、廊下灯２０ａ、２０ｂ、・・・および制御機４０を渡り配線で接続する形態も好適である。
【００２７】
複数のナースコール子機１ａ〜４ａ、１ｂ〜４ｂ、・・・はそれぞれ同様な構成であり、子機ラインＬ10a、Ｌ10b、・・・をなす通常呼出ラインＬ1に接続され、病室内の病床毎の患者が通常呼び出しのための操作を行う呼出ボタン１００と、子機ラインＬ10a、Ｌ10b、・・・をなす緊急呼出ラインＬ2に接続され、病室内の病床毎の患者を看護／担当している看護師が緊急呼び出しのための操作を行うスタッフコールボタン１０１と、子機ラインＬ10a、Ｌ10b、・・・をなす送話ラインＬ3に接続され、呼出元または聴取先である病室内の病床毎の患者、或いは呼出元である病室内の病床毎の患者を看護／担当している看護師が、呼出先または聴取元であるナースセンター内に在室中の看護師との間で通話（緊急通話を含む。）を成立させるための音声（送話音声）を入力するとともに、病室内の病床毎の患者の様子を聴取するマイク（以下、子機マイクという。）１０２と、子機ラインＬ10a、Ｌ10b、・・・をなす受話ラインＬ4に接続され、呼出元または聴取先である病室内の病床毎の患者、或いは呼出元である病室内の病床毎の患者を看護／担当している看護師が、呼出先または聴取元であるナースセンター内に在室中の看護師との間で通話（緊急通話を含む。）を成立させるための音声（受話音声）を出力（放音）するスピーカ（以下、子機スピーカという。）１０３とを有している。
【００２８】
また、廊下灯２０ａ、２０ｂ、・・・はそれぞれ同様な構成であり、当該廊下灯の構成各部をそれぞれ制御するためのＣＰＵ（Central Processing Unit、以下、廊下灯ＣＰＵという。）２００と、子機ラインＬ10a、Ｌ10b、・・・をなす通常呼出ラインＬ1を介して接続されたナースコール子機１ａ〜４ａ、１ｂ〜４ｂ、・・・の通常呼出ボタン１００が操作されたことを検出するための通常呼出検出回路２０１と、子機ラインＬ10a、Ｌ10b、・・・をなす緊急呼出ラインＬ2を介して接続されたナースコール子機１ａ〜４ａ、１ｂ〜４ｂ、・・・のスタッフコールボタン１０１が操作されたことを検出するための緊急呼出検出回路２０２と、通常呼出検出回路２０１にて検出された通常呼び出しがあること、または緊急呼出検出回路２０２にて検出された緊急呼び出しがあること、呼出元または聴取先である病室内の病床毎の患者、或いは呼出元である病室内の病床毎の患者を看護／担当している看護師が、呼出先または聴取元であるナースセンター内に在室中の看護師との間で通話（緊急通話を含む。）が成立している旨等を、所定のパターン（詳述せず）で表示するための複数のＬＥＤ（Light Emitting Diode）やＬＣＤ（Liquid Crystal Display）等からなる表示部２０３と、病室内の病床毎にぞれぞれ割り当てられ、当該病床毎の患者のプライバシーを守るにあたり操作され、ナースコール子機１ａ〜４ａ、１ｂ〜４ｂ、・・・の子機マイク１０２を使用した聴取を禁止するための聴取禁止スイッチ２０４と、廊下灯ＣＰＵ２００および廊下灯ラインＬ20をなす制御ラインＬ20aの間の信号／データ伝送路を形成するためのデータ送受信回路（以下、廊下灯データ送受信回路という。）２０５と、ナースコール子機１ａ〜４ａ、１ｂ〜４ｂ、・・・の子機マイク１０２に入力され、子機ラインＬ10a、Ｌ10b、・・・をなす送話ラインＬ3を介して伝送されてくる音声信号（送話音声信号）を４線／２線変換するとともに、当該子機ラインをなす受話ラインＬ4を介して当該ナースコール子機の子機スピーカ１０３に伝送させる音声信号（受話音声信号）を２線／４線変換するための通話回路（以下、廊下灯通話回路という。）２０６と、廊下灯通話回路２０６および廊下灯ラインＬ20をなす通話ラインＬ20bの間の信号伝送路を形成するための通話制御回路（以下、廊下灯通話制御回路という。）２０７とを有している。
【００２９】
また、ナースコール親機３０は、当該ナースコール親機の構成各部をそれぞれ制御するためのＣＰＵ（以下、親機ＣＰＵという。）３００と、ナースセンター内に在室中の看護師が呼出元または聴取先である病室内の病床毎の患者、或いは呼出元である病室内の病床毎の患者を看護／担当している看護師との間で通話（緊急通話を含む。）を成立させるための音声（送話音声、受話音声）を入力／出力（放音）するハンドセット３０１と、ハンドセットの取り上げ、すなわち、応答操作によりフックオフとなるフックスイッチ３０２と、病室内の病床毎の患者からの通常呼び出しがある旨の通常呼出音、または病室内の病床毎の患者を看護／担当している看護師からの緊急呼び出しがある旨の緊急呼出音を生成するとともに、複数のナースコール子機１ａ〜４ａ、１ｂ〜４ｂ、・・・を切り替えて子機マイク１０２からの送話による音声信号（送話音声信号）を聴取するにあたり、この切替動作のタイミングを示す信号音を生成し、さらに、当該ナースコール子機が呼出中または通話中の要因により聴取できない旨の信号音を生成するための呼出音等発生回路３０３と、呼出音等発生回路３０３にて生成された前述の通常呼出音、緊急呼出音、信号音をそれぞれ出力（放音）して、ナースセンター内に在室中の看護師に報知するためのスピーカ（以下、親機スピーカといい、拡声スピーカと同意である。）３０４と、病室内の病床毎の患者からの通常呼び出しがある旨、または病室内の病床毎の患者を看護／担当している看護師からの緊急呼び出しがある旨等を文字や絵データで表示するとともに、複数のナースコール子機１ａ〜４ａ、１ｂ〜４ｂ、・・・のうち聴取対象の当該ナースコール子機を選択する前の起動操作として用いられる聴取ボタン３０５ａがタッチパネル（符号は付与せず。）上に予め表示されたＬＣＤ、有機ＥＬ（Electro Luminescence）ディスプレイ等のモニタ３０５と、病室内の病床毎、すなわち、複数のナースコール子機１ａ〜４ａ、１ｂ〜４ｂ、・・・毎に割り当てられており、聴取の対象となる当該ナースコール子機を選択するための病床選択ボタン３０６と、モニタ３０５のタッチパネル上に予め表示されている聴取ボタン３０５ａおよび病床選択ボタン３０６の操作後において操作される送話ボタン３０７と、病室内の病床毎、すなわち、複数のナースコール子機１ａ〜４ａ、１ｂ〜４ｂ、・・・毎に割り当てられた複数のＬＥＤからなる表示灯３０８ａ（３０８ａ、３０８ａ、・・・）を備え、病室内の病床毎の患者からの通常呼び出しがある旨、または病室内の病床毎の患者を看護／担当している看護師からの緊急呼び出しがある旨の呼出表示、呼出元または聴取先である患者、或いは呼出元である看護師と呼出先である（当該ナースセンター内に在室中の）看護師との間で通話が成立している旨の通話表示、複数のナースコール子機１ａ〜４ａ、１ｂ〜４ｂ、・・・が聴取中であること、聴取対象であること等の状態表示を、それぞれ所定のパターンの色および／または点滅により該当する表示灯を制御して表示させるための表示回路３０８と、親機ＣＰＵ３００および親機ラインＬ30をなす制御ラインＬ30aの間の信号／データ伝送路を形成するためのデータ送受信回路（以下、親機データ送受信��路という。）３０９と、病室内の病床毎の患者、または病室内の病床毎の患者を看護／担当している看護師からの受話音声をハンドセット３０１のレシーバ（符号は付与せず。）または親機スピーカ３０４から出力（放音）させるにあたり、伝送されてくる音声信号（受話音声信号）の信号伝送路を切り替えるとともに、呼出音等発生回路３０３にて生成された信号音をハンドセット３０１のレシーバ（符号は付与せず。）から出力（放音）させるための信号伝送路を形成する通話路切替回路３１０と、通話路切替回路３１０および親機ラインＬ30をなす通話ラインＬ30bの間の信号伝送路を形成するための通話制御回路（以下、親機通話制御回路という。）３１１とを有している。
【００３０】
なお、ナースコール親機３０において、聴取ボタン３０５ａは、モニタ３０５のタッチパネル上のみならず、病床選択ボタン３０６、送話ボタン３０７と同様、当該モニタと別途に設けることができる。また、ナースコール親機３０として、パーソナルコンピュータ型の当該ナースコール親機を適用することにより、前述の聴取ボタン３０５ａ、病床選択ボタン３０６、送話ボタン３０７の操作を、モニタ３０５のタッチパネル上をタッチ操作して行うこともできる。
【００３１】
さらに、制御機４０は、当該制御機の構成各部をそれぞれ制御するためのＣＰＵ（以下、制御機ＣＰＵという。）４００と、複数のナースコール子機１ａ〜４ａ、１ｂ〜４ｂ、・・・が聴取中であること、聴取対象であること、聴取が禁止されている等の状態を記憶するとともに、当該複数のナースコール子機にそれぞれ割り当てられた子機番号および廊下灯２０ａ、２０ｂ、・・・にそれぞれ割り当てられた廊下灯番号が予め記憶されているＲＡＭ（Random Access Memory）、ＥＰＲＯＭ（Erasable Programmable Read Only Memory）等の記憶部４０１と、廊下灯ラインＬ20をなす制御ラインＬ20aおよび親機ラインＬ30をなす制御ラインＬ30aの間の信号／データ伝送路を形成するためのデータ送受信回路（以下、制御機データ送受信回路という。）４０２と、廊下灯ラインＬ20をなす通話ラインＬ20bおよび親機ラインＬ30をなす通話ラインＬ30bの間の信号伝送路を形成するための通話制御回路（以下、制御機通話制御回路という。）４０３とを有している。
【００３２】
このように構成された本発明の実施例によるナースコールシステムにおいて、以下、具体的な動作について説明する。
【００３３】
なお、本発明の実施例において、Ａ号室、Ｂ号室、・・・のような（複数の）病室内の病床毎の患者のうち、特定の患者がナースセンター内に在室中の看護師に対して通常の呼び出しがあり、ナースコール子機１ａ〜４ａ、１ｂ〜４ｂ、・・・の呼出ボタン１００を操作し、この通常呼び出しを検出した廊下灯２０ａ、２０ｂ、・・・の表示部２０３を使用して通常呼出表示を行い病室の出入口近傍や廊下先に居る看護師に知らせるとともに、ナースコール親機３０の親機スピーカ３０４、モニタ３０５および表示回路３０８の制御による呼出元に該当した表示灯３０８ａをそれぞれ使用して通常呼出報知（通常呼出音の放音、通常呼出表示）を行い、これを確認して取り上げられたハンドセット３０１（のマイクおよびレシーバ）と呼出元であるナースコール子機の子機マイク１０２および子機スピーカ１０３との間の通話路（送話路、受話路）を形成して通話を成立させる動作と、Ａ号室、Ｂ号室、・・・のような（複数の）病室内の病床毎の患者を看護／担当している看護師のうち、特定の看護師がナースセンター内に在室中の看護師に対して緊急の呼び出しがあり、ナースコール子機１ａ〜４ａ、１ｂ〜４ｂ、・・・のスタッフコールボタン１０１を操作し、この緊急呼び出しを検出した廊下灯２０ａ、２０ｂ、・・・の表示部２０３を使用して緊急呼出表示を行い病室の出入口近傍や廊下先に居る看護師に知らせるとともに、ナースコール親機３０の親機スピーカ３０４、モニタ３０５および表示回路３０８の制御による呼出元に該当した表示灯３０８ａをそれぞれ使用して緊急呼出報知（緊急呼出音の放音、緊急呼出表示）を行い、また、通話路（送話路）が形成された呼出元であるナースコール親機の子機マイク１０２からの送話音声を親機スピーカ３０４より出力（放音）させ、これを確認して取り上げられたハンドセット３０１（のマイクおよびレシーバ）と呼出元であるナースコール子機の子機マイク１０２および子機スピーカ１０３との間の通話路（送話路、受話路）を形成して通話を成立させる動作とは、それぞれ今般開示した先行技術の該当動作やその他のナースコール関連技術文献において既に開示されている該当動作と同様であることから、その説明は省略する。
【００３４】
図１のブロック図において、Ａ号室、Ｂ号室、・・・のような（複数の）病室内の病床毎の患者は、ナースセンター内に在室中の看護師からの後述する聴取をプライバシーの保護のために予め禁止するにあたり、自病室の出入口近傍や廊下先に設置された廊下灯２０ａ、２０ｂ、・・・の聴取禁止スイッチ２０４を操作する。ここでは、Ａ号室内でナースコール子機４ａが病床に設置されている患者が、廊下灯２０ａの自病床に該当する聴取禁止スイッチ２０４を操作すると、この操作を検出した廊下灯ＣＰＵ２００は、聴取禁止元であるナースコール子機４ａの子機番号および自廊下灯の廊下灯番号を付加させた聴取禁止設定信号を生成する。この聴取禁止設定信号は、廊下灯２０ａの廊下灯ＣＰＵ２００から廊下灯データ送受信回路２０５、廊下灯ラインＬ20をなす制御ラインＬ20a、制御機４０の制御機データ送受信回路４０２を介して制御機ＣＰＵ４００へと伝送されるとともに、廊下灯２０ａの廊下灯ＣＰＵ２００から廊下灯データ送受信回路２０５、廊下灯ラインＬ20をなす制御ラインＬ20a、廊下灯２０ａを除く他の廊下灯２０ｂ、・・・の廊下灯データ送受信回路２０５を介して廊下灯ＣＰＵ２００へとそれぞれ伝送される。
【００３５】
なお、廊下灯２０ａを除く他の廊下灯２０ｂ、・・・の廊下灯ＣＰＵ２００では、伝送されてきた聴取禁止設定信号が制御機４０からの出力信号でないことにより、この聴取禁止設定信号を無効であると判断し、その後の動作を何ら行わない。
【００３６】
制御機４０の制御機ＣＰＵ４００は、廊下灯２０ａからの聴取禁止設定信号に付加されている子機番号および廊下灯番号をもとに、Ａ号室内でナースコール子機４ａが病床に設置されている患者により聴取禁止の操作が行われたことを検出し、このナースコール子機４ａの子機番号を聴取禁止元の当該ナースコール子機として記憶部４０１に記憶するとともに、廊下灯２０ａからの聴取禁止設定信号を、制御機データ送受信回路４０２、親機ラインＬ30をなす制御ラインＬ30a、ナースコール親機３０の親機データ送受信回路３０９を介して親機ＣＰＵ３００に出力する。
【００３７】
ナースコール親機３０の親機ＣＰＵ３００は、制御機４０を介した廊下灯２０ａからの聴取禁止設定信号に付加されている子機番号および廊下灯番号をもとに、Ａ号室内でナースコール子機４ａが病床に設置されている患者により聴取禁止の操作が行われたことを検出し、その旨をナースセンター内に在室中の看護師に報知するにあたり、表示回路３０８を制御して聴取禁止元である病床の患者、すなわち、ナースコール子機４ａに割り当てられている表示灯３０８ａを所定のパターンの色および／または点滅で表示させる。これにより、ナースセンター内に在室中の看護師は、前述の表示をもとに、Ａ号室内でナースコール子機４ａが病床に設置されている患者により聴取禁止の操作が行われたことを視覚を通じて容易に確認することができる。
【００３８】
なお、ナースコール親機３０の親機ＣＰＵ３００は、表示回路３０８への制御のみならず、モニタ３０５を制御してＡ号室内でナースコール子機４ａが病床に設置されている患者により聴取禁止の操作が行われた旨を表示、例えば、文字や絵データ等を用いて表示させることもできる。
【００３９】
次に、ナースセンター内に在室中の看護師が、複数のナースコール子機１ａ〜４ａ、１ｂ〜４ｂ、・・・がそれぞれ設置された病室内の病床毎の患者のうち、前述のような聴取禁止の操作が（予め）行われていたＡ号室内でナースコール子機４ａが病床に設置されている患者を除く１人または複数人の患者の様子を子機マイク１０２から聴取する、ここでは、Ａ号室内でナースコール子機１ａが病床に設置されている患者を最先としてＢ号室内でナースコール子機１ｂが病床に設置されている患者の順序で計２人の患者の様子の聴取を行うにあたり、モニタ３０５のタッチパネル上に予め表示されている聴取ボタン３０５ａを操作し、聴取先のナースコール子機１ａ、１ｂにそれぞれ割り当てられている病床選択ボタン３０６を順次操作した後、送話ボタン３０７を操作すると、これらの聴取操作を検出した親機ＣＰＵ３００は、聴取先として選択されたナースコール子機１ａ、１ｂのうち、最先に選択されたナースコール子機１ａが当該ナースコール親機への呼出中であるか、またはナースコール子機１ａと当該ナースコール親機との間で通話が成立している通話中であるか否かを判断する。ここで、前述の呼出中または通話中でないと判断した親機ＣＰＵ３００は、ナースコール子機１ａ、１ｂをそれぞれ指定するための子機番号を付加させた聴取起動信号を生成するとともに、通話路切替回路３１０および親機通話制御回路３１１をそれぞれ制御して親機ラインＬ3をなす通話ラインＬ30bから親機スピーカ３０４への信号伝送路を形成する。また、親機ＣＰＵ３００にて生成された聴取起動信号は、親機データ送受信回路３０９、親機ラインＬ30をなす制御ラインＬ30a、制御機４０の制御機データ送受信回路４０２を介して制御機ＣＰＵ４００へと伝送される。
【００４０】
制御機４０の制御機ＣＰＵ４００は、ナースコール親機３０からの聴取起動信号、すなわち、聴取先であるナースコール子機１ａ、１ｂのそれぞれの子機番号を記憶部４０１に記憶するとともに、当該聴取起動信号に付加されているナースコール子機１ａの子機番号に割り当てられて予め記憶されている廊下灯番号、すなわち、廊下灯２０ａを指定するための廊下灯番号を記憶部４０１から読み出し、読み出した廊下灯番号および前述のナースコール子機１ａを指定するための子機番号を付加させた聴取信号（以下、第１の聴取信号という。）を生成し、さらに、制御機通話制御回路４０３を制御して廊下灯ラインＬ20をなす通話ラインＬ20bから親機ラインＬ30をなす通話ラインＬ30bへの信号伝送路について記憶部４０１に予め記憶されている所定の時間内形成する。また、制御機ＣＰＵ４００にて生成された第１の聴取信号は、制御機データ送受信回路４０２、廊下灯ラインＬ20をなす制御ラインＬ20a、全ての廊下灯２０ａ、２０ｂ、・・・の廊下灯データ送受信回路２０５を介して廊下灯ＣＰＵ２００へとそれぞれ伝送される。
【００４１】
全ての廊下灯２０ａ、２０ｂ、・・・の廊下灯ＣＰＵ２００は、それぞれ制御機４０からの第１の聴取信号に付加されている廊下灯番号と自廊下灯の廊下灯番号とを照合する。ここでは、廊下灯２０ａの廊下灯ＣＰＵ２００のみ当該廊下灯番号が一致し、この廊下灯ＣＰＵ２００は、廊下灯通話回路２０６および廊下灯通話制御回路２０７を制御して１番目の聴取先であるナースコール子機１ａの子機マイク１０２に接続された子機ラインＬ10aをなす送話ラインＬ3から廊下灯ラインＬ20をなす通話ラインＬ20bへの信号伝送路を形成することにより、ナースコール子機１ａの子機マイク１０２からナースコール親機３０の親機スピーカ３０４への通話路が形成されることになる。これにより、ナースセンター内に在室中の看護師は、ナースコール子機１ａの子機マイク１０２に入力されナースコール親機３０の親機スピーカ３０４から出力（放音）された音（送話音声）をもとに、聴取先として１番目に選択されたＡ号室内でナースコール子機１ａが病床に設置されている患者の様子を聴覚を通じて容易に確認することができる。
【００４２】
なお、廊下灯２０ａの廊下灯ＣＰＵ２００は、廊下灯通話回路２０６および廊下灯通話制御回路２０７への制御のみならず、ナースコール子機１ａの子機マイク１０２からナースコール親機３０の親機スピーカ３０４への通話路が形成され、ナースコール子機１ａが聴取中である旨を表示部２０３を制御して表示させることもできる。
【００４３】
また、制御機４０の制御機ＣＰＵ４００は、聴取先として選択されたナースコール子機１ａ、１ｂのうち、１番目の聴取先であるナースコール子機１ａの子機番号および聴取中である旨のデータと、２番目の聴取先であるナースコール子機１ｂの子機番号および聴取対象であるが聴取中でない旨のデータとを付加させた状態報知信号（以下、第１の状態報知信号という。）を生成する。この第１の状態報知信号は、制御機ＣＰＵ４００から制御機データ送受信回路４０２、親機ラインＬ30をなす制御ラインＬ30a、ナースコール親機３０の親機データ送受信回路３０９を介して親機ＣＰＵ３００へと伝送される。
【００４４】
ナースコール親機３０の親機ＣＰＵ３００は、制御機４０からの第１の状態報知信号に付加されている前述の各データをもとに、聴取先として選択されたナースコール子機１ａ、１ｂのうち、１番目の聴取先であるナースコール子機１ａが聴取中であることと、２番目の聴取先であるナースコール子機１ｂが聴取対象である一方、聴取中でないこととを検出し、その旨をナースセンター内に在室中の看護師に報知するにあたり、表示回路３０８を制御して聴取中である患者の病床に設置されたナースコール子機１ａに割り当てられている表示灯３０８ａを所定のパターンの色および／または点滅で表示させるとともに、聴取対象である一方、聴取中でない患者の病床に設置されたナースコール子機１ｂに割り当てられている表示灯３０８ａを所定のパターンの色および／または点滅で表示させる。これにより、ナースセンター内に在室中の看護師は、前述の表示をもとに、聴取先として１番目に選択されたＡ号室内でナースコール子機１ａが病床に設置されている患者の様子が聴取中であることと、聴取先として２番目に選択されたＢ号室内でナースコール子機１ｂが病床に設置されている患者が聴取対象である一方、聴取中でないこととを視覚を通じて容易に確認することができる。
【００４５】
なお、ナースコール親機３０の親機ＣＰＵ３００は、表示回路３０８への制御のみならず、聴取先として選択されたナースコール子機１ａ、１ｂのうち、１番目の聴取先であるナースコール子機１ａが聴取中である旨と、２番目の聴取先であるナースコール子機１ｂが聴取対象である一方、聴取中でない旨との表示を、モニタ３０５を制御して例えば、文字や絵データ等を用いて行うこともできる。
【００４６】
次に、前述のように、聴取先として選択されたナースコール子機１ａ、１ｂのうち、１番目の聴取先であるＡ号室内でナースコール子機１ａが病床に設置されている患者の様子がナースコール親機３０の親機スピーカ３０４から出力（放音）され、当該聴取の時間が制御機４０の制御機ＣＰＵ４００にて計時され記憶部４０１に予め記憶されている所定の時間を経過すると、このタイムアップを検出した制御機ＣＰＵ４００は、２番目に聴取する聴取先のナースコール子機１ｂが呼出中、または通話中であるか否かを判断する。ここで、２番目の聴取先であるナースコール子機１ｂが呼出中、または通話中でないと判断された場合には、このナースコール子機１ｂの子機番号に割り当てられて予め記憶されている廊下灯番号、すなわち、廊下灯２０ｂを指定するための廊下灯番号を記憶部４０１から読み出し、読み出した廊下灯番号および前述のナースコール子機１ｂを指定するための子機番号を付加させた聴取信号（以下、第２の聴取信号という。）を生成し、さらに、制御機通話制御回路４０３を制御して廊下灯ラインＬ20をなす通話ラインＬ20bから親機ラインＬ30をなす通話ラインＬ30bへの信号伝送路について記憶部４０１に予め記憶されている所定の時間内、再び形成する。また、制御機ＣＰＵ４００にて生成された第２の聴取信号は、前述の第１の聴取信号と同様な経路を介して全ての廊下灯２０ａ、２０ｂ、・・・の廊下灯ＣＰＵ２００へとそれぞれ伝送される。
【００４７】
全ての廊下灯２０ａ、２０ｂ、・・・の廊下灯ＣＰＵ２００は、それぞれ制御機４０からの第２の聴取信号に付加されている廊下灯番号と自廊下灯の廊下灯番号とを照合する。ここでは、廊下灯２０ｂの廊下灯ＣＰＵ２００のみ当該廊下灯番号が一致し、この廊下灯ＣＰＵ２００は、廊下灯通話回路２０６および廊下灯通話制御回路２０７を制御して２番目の聴取先であるナースコール子機１ｂの子機マイク１０２に接続された子機ラインＬ10bをなす送話ラインＬ3から廊下灯ラインＬ20をなす通話ラインＬ20bへの信号伝送路を形成することにより、ナースコール子機１ｂの子機マイク１０２からナースコール親機３０の親機スピーカ３０４への通話路が形成されることになる。
【００４８】
なお、廊下灯２０ｂの廊下灯ＣＰＵ２００は、廊下灯通話回路２０６および廊下灯通話制御回路２０７への制御のみならず、ナースコール子機１ｂの子機マイク１０２からナースコール親機３０の親機スピーカ３０４への通話路が形成され、ナースコール子機１ｂが聴取中である旨を表示部２０３を制御して表示させることもできる。
【００４９】
また、制御機４０の制御機ＣＰＵ４００は、聴取先として選択されたナースコール子機１ａ、１ｂのうち、１番目の聴取先であるナースコール子機１ａの子機番号および聴取対象である一方、既に聴取終了である旨のデータと、２番目の聴取先であるナースコール子機１ｂの子機番号および聴取中である旨のデータとを付加させた状態報知信号（以下、第２の状態報知信号という。）を生成する。この第２の状態報知信号は、前述の第１の状態報知信号と同様な経路を介してナースコール親機３０の親機ＣＰＵ３００へと伝送される。
【００５０】
ナースコール親機３０の親機ＣＰＵ３００は、制御機４０からの第２の状態報知信号に付加されている前述の各データをもとに、聴取先として選択されたナースコール子機１ａ、１ｂのうち、１番目の聴取先であるナースコール子機１ａが聴取対象である一方、既に聴取終了であることと、２番目の聴取先であるナースコール子機１ｂが聴取中であることとを検出し、その旨をナースセンター内に在室中の看護師に報知するにあたり、呼出音等発生回路３０３を制御して聴取先の当該ナースコール子機がナースコール子機１ａからナースコール子機１ｂに切り替えられた旨の信号音を親機スピーカ３０４から出力（放音）させるとともに、表示回路３０８を制御して聴取対象である一方、既に聴取終了である患者の病床に設置されたナースコール子機１ａに割り当てられている表示灯３０８ａを所定のパターンの色および／または点滅で表示させ、さらに、聴取中である患者の病床に設置されたナースコール子機１ｂに割り当てられている表示灯３０８ａを所定のパターンの色および／または点滅で表示させる。これにより、ナースセンター内に在室中の看護師は、前述の出力（放音）／表示をもとに、聴取先がナースコール子機１ａからナースコール子機１ｂへと切り替えられ、聴取先として１番目に選択されたＡ号室内でナースコール子機１ａが病床に設置されている患者が聴取対象である一方、既に聴取終了していることと、聴取先として２番目に選択されたＢ号室内でナースコール子機１ｂが病床に設置されている患者の様子が聴取中であることとを聴覚および視覚を通じて容易に確認できるばかりでなく、ナースコール子機１ｂの子機マイク１０２に入力されナースコール親機３０の親機スピーカ３０４から出力（放音）された音（送話音声）をもとに、聴取先として２番目に選択されたＢ号室内でナースコール子機１ｂが病床に設置されている患者の様子を聴覚を通じて容易に確認することができる。
【００５１】
なお、ナースコール親機３０の親機ＣＰＵ３００は、表示回路３０８への制御のみならず、聴取先として選択されたナースコール子機１ａ、１ｂのうち、１番目の聴取先であるナースコール子機１ａが聴取対象である一方、既に聴取終了している旨と、２番目の聴取先であるナースコール子機１ｂが聴取中である旨との表示を、モニタ３０５を制御して例えば、文字や絵データ等を用いて行うこともできる。
【００５２】
一方、前述のように、制御機４０の制御機ＣＰＵ４００にて計時され記憶部４０１に予め記憶されている所定の時間が経過し、このタイムアップを検出した制御機ＣＰＵ４００にて判断される２番目に聴取する聴取先のナースコール子機１ｂが呼出中、または通話の要因により聴取ができない場合には、聴取先として選択されたナースコール子機１ａ、１ｂのうち、１番目の聴取先であるナースコール子機１ａの子機番号および聴取対象である一方、既に聴取終了である旨のデータと、２番目の聴取先であるナースコール子機１ｂの子機番号および聴取対象である一方、呼出中、または通話中の要因により聴取できない旨のデータとを付加させた状態報知信号（以下、第３の状態報知信号という。）が制御機ＣＰＵ４００にて生成される。この第３の状態報知信号は、前述の第１、第２の各状態報知信号と同様な経路を介してナースコール親機３の親機ＣＰＵ３００へと伝送される。
【００５３】
ナースコール親機３０の親機ＣＰＵ３００は、制御機４０からの第３の状態報知信号に付加されている前述の各データをもとに、聴取先として選択されたナースコール子機１ａ、１ｂのうち、１番目の聴取先であるナースコール子機１ａが聴取対象である一方、既に聴取終了であることと、２番目の聴取先であるナースコール子機１ｂが呼出中、または通話中の要因により聴取できないこととを検出し、その旨をナースセンター内に在室中の看護師に報知するにあたり、呼出音等発生回路３０３を制御して２番目の聴取先であるナースコール子機１ｂが呼出中、または通話中の要因により聴取できない旨の信号音を親機スピーカ３０４から出力（放音）させるとともに、表示回路３０８を制御して聴取対象である一方、聴取が終了している患者の病床に設置されたナースコール子機１ａに割り当てられている表示灯３０８ａを所定のパターンの色および／または点滅で表示させ、さらに、聴取対象である一方、呼出中、または通話中の要因により聴取できない患者の病床に設置されたナースコール子機１ｂに割り当てられている表示灯３０８ａを所定のパターンの色および／または点滅で表示させる。これにより、ナースセンター内に在室中の看護師は、前述の出力（放音）／表示をもとに、聴取先として１番目に選択されたＡ号室内でナースコール子機１ａが病床に設置されている患者が聴取対象である一方、既に聴取終了していることと、聴取先として２番目に選択されたＢ号室内でナースコール子機１ｂが病床に設置されている患者が聴取対象である一方、呼出中、または通話中の要因により聴取できないこととを聴覚および視覚を通じて容易に確認することができる。
【００５４】
なお、ナースコール親機３０の親機ＣＰＵ３００は、表示回路３０８への制御のみならず、聴取先として選択されたナースコール子機１ａ、１ｂのうち、１番目の聴取先であるナースコール子機１ａが聴取対象である一方、既に聴取終了している旨と、２番目の聴取先であるナースコール子機１ｂが聴取対象である一方、呼出中、または通話中の要因により聴取できない旨との表示を、モニタ３０５を制御して例えば、文字や絵データ等を用いて行うこともできる。
【００５５】
次に、前述のように、聴取先として１番目に選択されたＡ号室内でナースコール子機１ａが病床に設置されている患者の様子、または２番目に選択されたＢ号室内でナースコール子機１ｂが病床に設置されている患者の様子を聴取中のナースセンター内に在室中の看護師、ここでは、１番目の聴取先であるＡ号室内でナースコール子機１ａが病床に設置されている患者の様子を聴取中のナースセンター内に在室中の看護師が、ナースコール親機３０のハンドセット３０１を取り上げると、フックスイッチ３０２がフックオフとなる。この応答操作を検出した親機ＣＰＵ３００は、通話路切替回路３１０および親機通話制御回路３１１を制御して親機ラインＬ30をなす通話ラインＬ30bとハンドセット３０１（のマイクおよびレシーバ）との間の信号伝送路、すなわち、通話路（送話路、受話路）を形成するとともに、応答信号（以下、聴取中応答信号という。）を生成する。この聴取中応答信号は、前述の聴取起動信号と同様な経路を介して制御機４０の制御機ＣＰＵ４００へと伝送される。
【００５６】
制御機４０の制御機ＣＰＵ４００は、ナースコール親機３０からの聴取中応答信号をもとにナースセンター内に在室中の看護師により応答操作があったことを検出し、当該制御機ＣＰＵ４００にて予め行われている計時を停止するとともに、制御機通話制御回路４０３を制御して廊下灯ラインＬ20をなす通話ラインＬ20bと親機ラインＬ30をなす通話ラインＬ30bとの間の信号伝送路、すなわち、通話路（送話路、受話路）を形成し、さらに、通話先であるナースコール子機１ａを指定するための子機番号および当該子機番号に割り当てられている廊下灯番号、すなわち、廊下灯２０ａを指定するための廊下灯番号を記憶部４０１から読み出し、読み出された子機番号および廊下灯番号を付加させた通話制御信号を生成する。この通話制御信号は、前述の第１、第２、第３の聴取信号と同様な経路を介して全ての廊下灯２０ａ、２０ｂ、・・・の廊下灯ＣＰＵ２００へと伝送される。
【００５７】
全ての廊下灯２０ａ、２０ｂ、・・・の廊下灯ＣＰＵ２００は、それぞれ制御機４０からの通話制御信号に付加されている廊下灯番号と自廊下灯の廊下灯番号とを照合する。ここでは、廊下灯２０ａの廊下灯ＣＰＵ２００のみ当該廊下灯番号が一致し、この廊下灯ＣＰＵ２００は、廊下灯通話回路２０６および廊下灯通話制御回路２０７を制御して通話先であるナースコール子機１ａの子機マイク１０２および子機スピーカ１０３に接続された子機ラインＬ10aをなす送話ラインＬ3、受話ラインＬ4と廊下灯ラインＬ20をなす通話ラインＬ20bとの間の信号伝送路、すなわち、通話路（送話路、受話路）を形成することにより、ナースコール子機１ａの子機マイク１０２および子機スピーカ１０３とナースコール親機３０のハンドセット３０１（のマイクおよびレシーバ）との間の通話路（以下、第１の通話路という。）が形成されることになる。これにより、ナースセンター内に在室中の看護師は、前述の第１の通話路を介して音声信号（送話音声信号、受話音声信号）を送受信し、Ａ号室内でナースコール子機１ａが病床に設置されている患者との間で通話を成立させることができる。
【００５８】
なお、廊下灯２０ａの廊下灯ＣＰＵ２００は、廊下灯通話回路２０６および廊下灯通話制御回路２０７への制御のみならず、ナースセンター内に在室中の看護師とＡ号室内でナースコール子機１ａが病床に設置されている患者との間で通話が成立している旨を表示部２０３を制御して表示させることもできる。
【００５９】
また、ナースコール親機３０の親機ＣＰＵ３００は、ナースコール子機１ａの子機マイク１０２および子機スピーカ１０３とハンドセット３０１（のマイクおよびレシーバ）との間の第１の通話路が形成された後、呼出音等発生回路３０３を制御して前述の第１の通話路が形成された旨の信号音をハンドセット３０１（のレシーバ）から出力（放音）させるとともに、ナースセンター内に在室中の看護師とＡ号室内でナースコール子機１ａが病床に設置されている患者との間で通話が成立している旨の表示を、モニタ３０５を制御して例えば、文字や絵データ等を用いて行うことができるばかりでなく、表示回路３０８を制御して通話先である患者の病床に設置されたナースコール子機１ａに割り当てられている表示灯３０８ａを所定のパターンの色および／または点滅で表示させることもできる。
【００６０】
次に、前述のように、聴取先として２番目に選択されたＢ号室内でナースコール子機１ｂが病床に設置されている患者が呼出中または通話中の要因により聴取ができずスキップ中であると確認したナースセンター内に在室中の看護師が、ナースコール親機３０のハンドセット３０１を取り上げると、この応答操作を検出した親機ＣＰＵ３００は、通話路切替回路３１０および親機通話制御回路３１１を制御して親機ラインＬ30をなす通話ラインＬ30bとハンドセット３０１（のマイクおよびレシーバ）との間の信号伝送路、すなわち、通話路（送話路、受話路）を形成するとともに、応答信号（以下、スキップ中応答信号という。）を生成する。このスキップ中応答信号は、前述の聴取起動信号および聴取中応答信号と同様な経路を介して制御機４０の制御機ＣＰＵ４００へと伝送される。
【００６１】
制御機４０の制御機ＣＰＵ４００は、ナースコール親機３０からのスキップ中応答信号をもとにナースセンター内に在室中の看護師により応答操作があったことを検出し、呼出し、または通話の動作を一旦切断するとともに、制御機通話制御回路４０３を制御して廊下灯ラインＬ20をなす通話ラインＬ20bと親機ラインＬ30をなす通話ラインＬ30bとの間の信号伝送路、すなわち、通話路（送話路、受話路）を形成し、さらに、緊急通話先であるナースコール子機１ｂを指定するための子機番号および当該子機番号に割り当てられている廊下灯番号、すなわち、廊下灯２０ｂを指定するための廊下灯番号を記憶部４０１から読み出し、読み出された子機番号および廊下灯番号を付加させた緊急通話制御信号を生成する。この緊急通話制御信号は、前述の第１、第２、第３の聴取信号および通話制御信号と同様な経路を介して全ての廊下灯２０ａ、２０ｂ、・・・の廊下灯ＣＰＵ２００へと伝送される。
【００６２】
全ての廊下灯２０ａ、２０ｂ、・・・の廊下灯ＣＰＵ２００は、それぞれ制御機４０からの緊急通話制御信号に付加されている廊下灯番号と自廊下灯の廊下灯番号とを照合する。ここでは、廊下灯２０ｂの廊下灯ＣＰＵ２００のみ当該廊下灯番号が一致し、この廊下灯ＣＰＵ２００は、廊下灯通話回路２０６および廊下灯通話制御回路２０７を制御して緊急通話先であるナースコール子機１ｂの子機マイク１０２および子機スピーカ１０３に接続された子機ラインＬ10bをなす送話ラインＬ3、受話ラインＬ4と廊下灯ラインＬ20をなす通話ラインＬ20bとの間の信号伝送路、すなわち、通話路（送話路、受話路）を形成することにより、ナースコール子機１ｂの子機マイク１０２および子機スピーカ１０３とナースコール親機３０のハンドセット３０１（のマイクおよびレシーバ）との間の通話路（以下、第２の通話路という。）が形成されることになる。これにより、ナースセンター内に在室中の看護師は、前述の第２の通話路を介して音声信号（送話音声信号、受話音声信号）を送受信し、Ｂ号室内でナースコール子機１ｂが病床に設置されている患者との間で緊急通話を成立させることができる。
【００６３】
なお、廊下灯２０ｂの廊下灯ＣＰＵ２００は、廊下灯通話回路２０６および廊下灯通話制御回路２０７への制御のみならず、ナースセンター内に在室中の看護師とＢ号室内でナースコール子機１ｂが病床に設置されている患者との間で緊急通話が成立している旨を表示部２０３を制御して表示させることもできる。
【００６４】
また、ナースコール親機３０の親機ＣＰＵ３００は、ナースコール子機１ｂの子機マイク１０２および子機スピーカ１０３とハンドセット３０１（のマイクおよびレシーバ）との間の第２の通話路が形成された後、呼出音等発生回路３０３を制御して前述の第２の通話路が形成された旨の信号音をハンドセット３０１（のレシーバ）から出力（放音）させるとともに、ナースセンター内に在室中の看護師とＢ号室内でナースコール子機１ｂが病床に設置されている患者との間で緊急通話が成立している旨の表示を、モニタ３０５を制御して例えば、文字や絵データ等を用いて行うことができるばかりでなく、表示回路３０８を制御して緊急通話先である患者の病床に設置されたナースコール子機１ｂに割り当てられている表示灯３０８ａを所定のパターンの色および／または点滅で表示させることもできる。
【００６５】
次に、前述のように、呼出中または通話中の要因により聴取ができずスキップ中のＢ号室内でナースコール子機１ｂが病床に設置されている患者との間で緊急通話を成立させていたナースセンター内に在室中の看護師が、この緊急通話を終了させる、すなわち、終話するためにハンドセット３０１を元の位置に戻すと、フックスイッチ３０２がフックオンとなる。この終話操作を検出した親機ＣＰＵ３００は終話信号を生成し、前述の聴取起動信号、聴取中応答信号およびスキップ中応答信号と同様な経路を介して制御機４０の制御機ＣＰＵ４００に出力する。
【００６６】
制御機４０の制御機ＣＰＵ４００は、ナースコール親機３０からの終話信号をもとにナースセンター内に在室中の看護師により終話操作があったことを検出し、一旦切断していたナースコール子機１ｂの呼び出し、または通話の状態を復旧させることができる。
【図面の簡単な説明】
【００６７】
【図１】本発明の実施例によるナースコールシステムの構成を示すブロック図。
【符号の説明】
【００６８】
１ａ〜４ａ、１ｂ〜４ｂ、・・・ ……複数のナースコール子機
１０２……子機マイク
２０ａ、２０ｂ、・・・ ……廊下灯
２０４……聴取禁止スイッチ
３０……ナースコール親機
３０１……ハンドセット
３０４……親機スピーカ
３０８……表示回路
３０８ａ、３０８ａ、・・・ ……表示灯
４０……制御機
【図１】
2006129228.tif 000003